(57)【要約】      （修正有）【課題】不正な開封を確実に防止できる注出栓を提供する。【解決手段】ベースキャップ１にヒンジｈを介して開閉可能にな蓋体７とを備えた注出栓において、前記蓋体７は、前記ヒンジｈの対向位置の周壁に、外方に向けて延出する指掛け片７ｄを有し、前記指掛け片７ｄに、該指掛け片７ｄの延出先端部において前記蓋体７の周壁７ａ側への傾倒を可能とする係止爪片８と、この係止爪片８に隙間を隔てて配置されるリブ状突起９を設け、前記ベースキャップ１に、該ベースキャップ１の少なくとも前面側で連結片を介して切り離し可能に保持される帯板１０と、この帯板１０の上端部に一体連結され、該帯板１０との協働により下向きに開放された凹所Ｎを形成し、かつ、前記係止爪片８の倒し込みとその強制的な乗り越えにて該係止爪片８を該凹所Ｎに入れ込んで前記リブ状突起９との挟持下に離脱不能に係止される垂下壁１２を設ける。【選択図】図４
2014166871.tif 000002
【特許請求の範囲】
【請求項１】
容器の内部につながる注出口を有し、該容器の口頚部に固定保持されるベースキャップと、このベースキャップにヒンジを介して開閉可能につながり、該ベースキャップに合わさって前記注出口を閉じる蓋体とを備えた注出栓であって、
前記蓋体は、前記ヒンジの対向位置の周壁に、外方に向けて延出する指掛け片を有し、
前記指掛け片に、該指掛け片の延出先端部において前記蓋体の周壁側への傾倒を可能とする係止爪片と、この係止爪片に隙間を隔てて配置されるリブ状突起を設け、
前記ベースキャップに、該ベースキャップの少なくとも前面側で連結片を介して切り離し可能に保持される帯板と、この帯板の上端部に一体連結され、該帯板との協働により下向きに開放された凹所を形成し、かつ、前記係止爪片の倒し込みとその強制的な乗り越えにて該係止爪片を該凹所に入れ込んで前記リブ状突起との挟持下に離脱不能に係止される垂下壁を設けたことを特徴とする不正開封防止機能を備えた注出栓。
【請求項２】
前記垂下壁は、初期形状への復元を可能とする弾性部材よりなることを特徴とする請求項１に記載した不正開封防止機能を備えた注出栓。
【請求項３】
前記係止爪片は、連係部を介して前記指掛け片に係留されてその傾倒姿勢を維持するものであることを特徴とする請求項１または２に記載した不正開封防止機能を備えた注出栓。
【請求項４】
前記垂下壁は、その内壁下端部に、前記係止爪片の先端を適合させて該係止爪片の位置決めを行う凹部を有することを特徴とする請求項１〜３のいずれか１に記載した不正開封防止機能を備えた注出栓。
【発明の詳細な説明】
【技術分野】
【０００１】
本発明は、容器の口部に装着される注出栓に関するものであり、該注出栓の不正な開封を確実に防止しようとするものである。
【背景技術】
【０００２】
近年、ソースや食用油、醤油、飲料等を入れる容器には、商品の流通段階での容器の不正な開封を防ぐため、蓋体が開けられたかどうか目視でもって簡単に見分けることができる封減式の注出栓が多用されている。
【０００３】
この点に関する先行技術として、例えば、特許文献１には、キャップ本体周壁の少なくとも前面上部に複数の破断子を介して覆合帯板を起立させるとともに、該覆合帯板前部の下部に下面開口の凹部を設けて、蓋板周壁の前部下端に付設した蓋板開閉操作用の指掛け片を、蓋板閉塞の際に覆合帯板の前部後面を強制乗越えて凹部の上面へ離脱不能に係合させるようにした構造のものが知られている。
【先行技術文献】
【特許文献】
【０００４】
【特許文献１】実開平４−６０８６６号公報
【発明の開示】
【発明が解決しようとする課題】
【０００５】
上記従来の注出栓は、破断子を起点にして覆合帯板を引き千切ることにより初めて蓋板の開放を可能とするものであり、容器の不正な開封を防止する観点からは極めて有効な手段であるとされていた。
【０００６】
しかしながら、従来のこの種の注出栓では、蓋板をピンセットや指を掛けてゆっくりと持ち上げる等の動作が加えられた場合に、比較的容易に覆合帯板を引き千切ることなしにその係合状態を解除できることも懸念され、不正な開封が行われたとしてもその判別を確認するのが難しい状況にあった。
【０００７】
本発明の課題は、上記従来の不具合を確実に解消できる不正開封防止機能を備えた注出栓を提案するところにある。
【課題を解決するための手段】
【０００８】
本発明は、容器の内部につながる注出口を有し、該容器の口頚部に固定保持されるベースキャップと、このベースキャップにヒンジを介して開閉可能につながり、該ベースキャップに合わさって前記注出口を閉じる蓋体とを備えた注出栓であって、前記蓋体は、前記ヒンジの対向位置の周壁に、外方に向けて延出する指掛け片を有し、前記指掛け片に、該指掛け片の延出先端部において前記蓋体の周壁側への傾倒を可能とする係止爪片と、この係止爪片に隙間を隔てて配置されるリブ状突起を設け、前記ベースキャップに、該ベースキャップの少なくとも前面側で連結片を介して切り離し可能に保持される帯板と、この帯板の上端部に一体連結され、該帯板との協働により下向きに開放された凹所を形成し、かつ、前記係止爪片の倒し込みとその強制的な乗り越えにて該係止爪片を該凹所に入れ込んで前記リブ状突起との挟持下に離脱不能に係止される垂下壁を設けたことを特徴とする不正開封防止機能を備えた注出栓である。
【０００９】
上記の構成からなる注出栓においては、垂下壁を、初期形状への復元を可能とする弾性部材よりなるもので構成すること、
また、係止爪片は、前記指掛け片に係留されてその傾倒姿勢を維持する連係部を有すること、
さらに、垂下壁は、その内壁下端部に、係止爪片の先端を適合させて該係止爪片の位置決めを行う凹部を有すること、
が課題解決のための具体的手段として好ましい。
【発明の効果】
【００１０】
上記の構成からなる本発明の注出栓によれば、ベースキャップと、このベースキャップにヒンジを介して開閉可能につながる蓋体とを備えた注出栓において、蓋体の指掛け片に、該指掛け片の延出先端部において起立するとともに蓋体の周壁側への傾倒を可能とする係止爪片と、この係止爪片に隙間を隔てて配置されるリブ状突起を設ける一方、ベースキャップに、該ベースキャップの少なくとも前面側で連結片を介して切り離し可能に保持される帯板と、この帯板の上端部に一体的に設けられ、該帯板との協働により下向きに開放された凹所を形成し、かつ係止爪片の倒し込みとその強制的な乗り越えにて該係止爪片を該凹所に入れ込んでリブ状突起との挟持下に離脱不能に係止される垂下壁を設けるようにしたため、不正な開封動作が加えられても、垂下壁は、係止爪片とリブ状突起との間から抜け出すことはなく、帯板を切り離さない限り蓋体を開放することができない。
【００１１】
また、本発明の注出栓によれば、垂下壁を、初期形状への復元を可能とする弾性部材よりなるもので構成したため、不正開封防止機能のセット時に、指掛け片に設けられた係止爪片を、帯板の破断を引き起こすことなしに凹所に入れ込んで連係させることができる。
【００１２】
また、本発明の注出栓によれば、係止爪片を、連係部を介して指掛け片に係留してその傾倒姿勢を維持するようにしたため、注出栓を開封したのちにおいて蓋体を開閉する際に該爪片が邪魔になることがない。
【００１３】
さらに、本発明の注出栓によれば、垂下壁の内壁下端部に、係止爪片の先端を適合させて該係止爪片の位置決めを行う凹部を設けるようにしたため、係止爪片とリブ状突起とによる垂下壁の挟持がより確実となり、蓋体を持ち上げるような動作が加えられた場合に、帯板がベースキャップから切り離されることとなり、不正な開封が行われたかどうか一目で把握できる。
【図面の簡単な説明】
【００１４】
【図１】本発明にしたがう注出栓の実施の形態を、平面について示した図である。
【図２】図１に示した注出栓の側面を示した図である。
【図３】図１に示した注出栓の底面を示した図である。
【図４】本発明にしたがう注出栓の側面を断面で示した図である。
【図５】図１のＡ−Ａ断面を示した図である。
【図６】不正開封防止機構のセット完了後の状態を要部の断面について示した図である。
【図７】指掛け片の初期形状（成形形状）を要部断面について示した図である。
【図８】不正開封防止機構のセット途中の断面形状を示した図である。
【図９】本発明に従う注出栓につき、連係部を設けた他の例を示した図である。
【発明を実施するための最良の形態】
【００１５】
以下、図面を参照して本発明をより具体的に説明する。
図１〜図３は、本発明にしたがう注出栓の実施の形態を、プルトップタイプの注出栓を例として模式的に示した図であり、図１は、その平面図、図２は、その側面図、そして図３は、その底面図である。また、図４は、本発明に従う注出栓の側面を断面で示した図であり、図５は、図１のＡ−Ａ断面を示した図であり、図６は、不正開封防止機構のセット完了後の状態（不正な開封ができない状態）を要部の断面について示した図である。なお、本発明において、ベースキャップの前面側とは、蓋体をつなぐヒンジが設けられた対向位置側をいうものとし、ヒンジが設けられ側をベースキャップの後面側ということとする。この注出栓は、一般的には、合成樹脂を射出成形することによって製造される。
【００１６】
図１〜６における符号１は、注出栓の主要構成部材をなすベースキャップである。このベースキャップ１は、容器の口部を閉塞する障壁板１ａと、この障壁板１ａの縁部に一体的につながり、下向きに開放された環状溝ｍを形成する内筒１ｂ、外筒１ｃからなる内外二重の筒体と、障壁板１ａの上面部において起立姿勢で一体的につながるリップ付きの注出筒１ｄと、外筒１ｃを全周にわたって取り囲む環状帯１ｅから構成されている。注出筒１ｄは、内容物のスムーズな注出を可能とするため、その周壁は、ベースキャップ１の前面側に向けて尖った先細り形状をなしており、ベースキャップ１の後面側の高さが前面側の高さよりも低くなっている。
【００１７】
上記ベースキャップ１は、打栓により環状溝ｍに容器の口頚部先端（図示せず）を嵌合（アンダーカットによる嵌合等）させることによって固定保持される。また、環状帯１ｅは、外筒１ｃの拡径を抑制する箍として機能するものであって、これによりベースキャップ１の容器の口頚部に対する嵌合力を高めている。
【００１８】
なお、外筒１ｃと環状帯１ｃとは、その下端部の周方向に沿って設けられた複数の薄肉連結片１ｆによって切り離し可能に連結されており、ベースキャップ１の前面側に設けられた少なくとも１つの厚肉連結片１ｇによって切り離し不能に連結されたものを例として示したが、注出栓のタイプによっては環状体１ｃを省略することも可能であり、図示のものには限定されない。
【００１９】
また、２は、障壁板１ａに設けられた破断予定線である。この破断予定線２は、注出筒１ｄの内壁直下の障壁板１ａにおいて該内壁に沿うように線状の切込みを入れ、その部位を局所的に薄肉にして形成されたものであり、ベースキャップ１の前面側に向けて先細りになる、略三角状の平面形状をなしている。
【００２０】
３は、破断予定線２の内側で、かつ、ベースキャップ１の後面側において障壁板１ａに一体連結する支柱、４は、支柱３の上端部に一体連結したプルリングである。
【００２１】
プルリング４の下縁には、指を掛けたときにソフトな感触を付与するための緩衝片（薄肉片）４ａが設けられている。
【００２２】
プルリング４に指を掛けて支柱３を通して障壁板１ａを引っ張り上げると、該障壁板１ａは、破断予定線２に沿って引き千切られ、その部位には内容物を注出するための注出口が形成される。
【００２３】
また、５は、障壁板１ａの中央部に設けられた半円状の平面形状を有する凹部、６は、障壁板１ａの前面側に設けられた三角状の平面形状を有する凹部である。凹部５は、プルリング４に指を掛けるとき、該プルリング４内に指を挿入し易くするために設けられるものであり、また、凹部６は、障壁板１ａを破断予定線２に沿って引き千切る際に、引き千切りにかかる力を破断予定線２に集中させるためのものであって、該凹部６により障壁板１ａを小さな力でスムーズに引き千切ることができるようになっている。
【００２４】
また、７は、ベースキャップ１の後面側で環状帯１ｅの上端部にヒンジｈを介して開閉可能につながる蓋体である。この蓋体７は、環状の周壁７ａと、この周壁７ａの上端に一体連結してその内側に注出筒１ｄの収納空間を形成する天板７ｂと、この天板７ｂの裏面に垂下、保持され、蓋体７を閉じたとき注出筒１ｄの内壁面に嵌り込む内筒７ｃ（注出出筒１ｄと同一形状で、密閉状態を保つ機能を有する）から構成されている。蓋体７の周壁７ａの内側下部には、外筒１ｃの外側壁の上部に設けられた環状の凹部１ｃ１に着脱自在に係合（アンダーカットによる係合）する環状の凸部７ａ１が形成されていて、ヒンジｈを支点に蓋体７を揺動させ、ベースキャップ１の環状体１ｅの上端面１ｅ１に周壁７ａの下端が合わさると同時に該凸部７ａ１が該凹部１ｃ１に係合して注出筒１ｄの内側に形成された注出口が密閉される（図４、図９参照）。
【００２５】
ヒンジｈの対向位置（ベースキャップ１の前面側）の、周壁７ａの外表面下部には、外方に向けて延出し、蓋体７の容易な開閉を行うための指掛け片７ｄが設けられている。なお、少なくとも指掛け片７ｄの上方近傍の周壁７ａには、該周壁７ａの周りに沿う向きに延びる薄肉部を設けることが可能であり、該薄肉部を設けることで、そこを起点に弾性変形させて蓋体７を開放し易くすることができる。
【００２６】
また、８は、指掛け片７ｄの延出先端部において起立するとともに蓋体７の周壁７ａ側への傾倒を可能とする係止爪片（図７参照）、９は、蓋体７の周壁７ａ側において係止爪片８に隙間を隔てて配置されるリブ状突起である。係止爪片８としては、外力を取り除いたとき起立姿勢に復帰する復元力を有する弾性体を適用することができる。
【００２７】
また、１０は、ベースキャップ１に、その前面側の外表面で連結片１１を介して切り離し可能に保持される帯板、１２は、帯板１０の上端部に一体連結する垂下壁である。帯板１０は、ベースキャップ１の前側半分を覆うものを例として示したが、ヒンジｈに至るまで伸びた環状体にて構成することも可能であり、図示のものに限定されない。また、垂下壁１２は、少なくとも指掛け片７ａを超える幅を有している。
【００２８】
垂下壁１２は、帯板１０との協働により下向きに開放された凹所Ｎ（図４参照）を形成し、かつ、係止爪片８の倒し込みとその強制的な乗り越えにより該係止爪片８を、凹所Ｎに入れ込むとともに、該係止爪片８とリブ状突起９との挟持下にその下端部が離脱不能に係止される。
【００２９】
垂下壁１２は、初期形状への復帰を可能とする弾性部材にて構成することができ、これにより、係止爪片８の倒し込みとその係止爪片８の強制的な乗り越えを容易にする。また、垂下壁１２の幅方向の端部には、帯板１０とつながる側壁を設けることができる（図示せず）。
【００３０】
さらに、１３は、垂下壁１２の内壁下端部に設けられた凹部である。この凹部１３は、係止爪片８が凹所Ｎに入り込んだとき該係止爪片８の先端と適合して該係止爪片８の位置決めを行うものであって、これにより、係止爪片８の傾倒姿勢を安定化させることが可能となり、垂下壁１２は、係止爪片８とリブ状突起９とによって強固に挟持される。
【００３１】
図７は、蓋体７の指掛け片７ｄの初期形状（成形形状）を要部の断面について示した図であり、図８は、不正開封防止機構のセット途中の断面形状を要部について示した図である。なお、本発明において、係止爪片８が指掛け片７ｄの延出先端部で起立するとは、蓋体７が上掲図７に示す状態におかれた姿勢についていうものとする（すなわち、蓋体７がベースキャップ１の上端部に合わさった状態）。
【００３２】
上記の構成からなる注出栓において、不正開封防止機構をセットするには、蓋体７をベースキャップ１の上端面に合わせていく。そうすると、指掛け片７ｄの延出先端部に設けられた係止爪片８は、垂下壁１２に当接し、図８に示すように、該垂下壁１２は弾性変形していく一方、該係止爪片８は蓋体７の周壁７ａ側へと倒れ込んでいく（傾倒）ことになる。そして、垂下壁１２が、係止爪片８を乗り越え、蓋体７がベースキャップ１に完全に合わさったところで、上掲図６に示すように、係止爪片８は、凹所Ｎに入り込むこととなり、この状態で垂下壁１２は、係止爪片８とリブ状突起９によって挟持される。
【００３３】
この状態にあっては、ピンセットを使ったり指を使って蓋体７をゆっくりと持ち上げる等の不正な動作により蓋体７を開けようとしても垂下壁１２は、係止爪片８とリブ状突起９の間から容易に抜け出ることがないため、連結片１１を引き千切って帯板１０を取り外さない限り蓋体７を開放することはできず、したがって不正な開封が行われたかどうか一目で視認することができることになる。
【００３４】
係止爪片８としては、外力を取り除いた際に初期姿勢（起立姿勢）に復元可能な弾性体にて構成するのが好ましい。というのは、該係止爪片８を弾性体で構成すると、傾倒姿勢においては常に復元力が発生するため、リブ状突起９との相互間で垂下壁１２を挟持するとき、該垂下壁１２には、リブ状突起９へ向けて押しやられる力が作用し、挟持力をより一層高めることができるからである。
【００３５】
図９は、本発明にしたがう注出栓の他の実施の形態を示した図である。図９における符号１４は、係止爪片８を指掛け片７ｄに係留する連係部である。この連係部１４は、係止爪片８に一体連結するダボ（突起）１４ａと、指掛け片７ｄの上面に設けられ、該ダボ１４ａと嵌合するダボ穴１４ｂにて構成され、連係部１４のダボ１４ａをダボ穴１４ｂに嵌合させることにより、係止爪片８の傾倒姿勢を維持することが可能となり、蓋体７を開閉する際、該係止爪片８が邪魔になるのを防止することができる。
【００３６】
連係部１４は、ダボ（突起）１４ａと、ダボ穴１４ｂを例として示したが、単一のリブと、このリブに嵌合する溝部（例えば、２つのリブを間隔をおいて配置し、その間に溝部を形成するもの等）を適用してもよく、連係部１４の構造については適宜変更できる。
【００３７】
本発明にしたがう注出栓は、蓋体７を引き上げて薄肉連結片１ｆを切り離すとともに、厚肉連結片１ｇを介して外筒１ｃを引き上げることにより注出栓そのものを容器の口頚部から簡単に取り外すことが可能であり、容器本体と注出栓を分離して廃棄（分別廃棄）し得る。
【００３８】
本発明では、プルトップタイプの注出栓を例として説明したが、障壁板１ａを有しない通常の注出栓に適用することも可能であり、本発明は、プルトップタイプの注出栓のみに限定されない。
【産業上の利用可能性】
【００３９】
本発明によれば、不正な開封を確実に阻止し得る注出栓が提供できる。
【符号の説明】
【００４０】
１      ベースキャップ
１ａ    障壁板
１ｂ    内筒
１ｃ    外筒
１ｃ１    凹部
１ｄ    注出筒
１ｅ    環状帯
１ｅ１    上端面
１ｆ    薄肉連結片
１ｇ    厚肉連結片
２      破断予定線
３      支柱
４      プルリング
４ａ    緩衝片
５      凹部
６      凹部
７      蓋体
７ａ    周壁
７ａ１    凸部
７ｂ    天板
７ｃ    内筒
８      係止爪片
９      リブ状突起
１０    帯板
１１    連結片
１２    垂下壁
１３    凹部
１４    連結部
１４ａ  ダボ
１４ｂ  ダボ穴
【図１】
2014166871.tif 000003
【図２】
2014166871.tif 000004
【図３】
2014166871.tif 000005
【図４】
2014166871.tif 000006
【図５】
2014166871.tif 000007
【図６】
2014166871.tif 000008
【図７】
2014166871.tif 000009
【図８】
2014166871.tif 000010
【図９】
2014166871.tif 000011